(57)【特許請求の範囲】
【請求項１】
二次電池と、
前記二次電池に電力を充電する充電手段と、
前記二次電池の電力で駆動されて時刻を計時する計時手段と、
前記二次電池の電力で駆動されて前記時刻を表示する時刻表示手段と、
前記計時手段および前記時刻表示手段以外の前記二次電池の電力で駆動される負荷と、
前記二次電池の電圧を検出する電池電圧検出手段と、
前記二次電池の電圧が第一電圧未満に低下した場合は、前記負荷の駆動開始を禁止し、かつ、前記計時手段および前記時刻表示手段の駆動は禁止しない第一制御モードを実行し、
前記二次電池の電圧が前記第一電圧よりも低い第二電圧未満に低下した場合は、前記計時手段の停止が近づいていることを予告する第二制御モードを実行する制御手段と、を備える
ことを特徴とする電子時計。
【請求項２】
請求項１に記載の電子時計において、
前記二次電池の電池残量を表示する残量表示手段と、
前記計時手段の停止を予告する予告表示手段と、を備え、
前記時刻表示手段は秒針を備え、
前記残量表示手段は、前記第一制御モードが実行された場合は、前記秒針とは別の指針を、電池残量を表示するインジケーター針として用い、
前記予告表示手段は、前記第二制御モードが実行された場合は、前記秒針を通常の運針と異なる運針で作動させる
ことを特徴とする電子時計。
【請求項３】
請求項１に記載の電子時計において、
前記二次電池の電池残量を表示する残量表示手段と、
前記計時手段の停止を予告する予告表示手段と、を備え、
前記時刻表示手段は秒針を備え、
前記残量表示手段は、前記第一制御モードが実行された場合は、前記秒針を、電池残量を表示するインジケーター針として用い、
前記予告表示手段は、前記第二制御モードが実行された場合は、前記秒針を通常の運針と異なる運針で作動させる
ことを特徴とする電子時計。
【請求項４】
請求項２または請求項３に記載の電子時計において、
前記二次電池の残量レベルを記憶する記憶部と、
ボタンと、を備え、
前記制御手段は、前記第一制御モードの実行時に前記ボタンが押されると前記残量表示手段を作動し、前記記憶部に記憶されたデータに基づいて電池残量を表示する
ことを特徴とする電子時計。
【請求項５】
請求項２から請求項４のいずれかに記載の電子時計において、
前記制御手段は、前記負荷の動作中は、前記残量表示手段による電池残量の表示を更新しない
ことを特徴とする電子時計。
【請求項６】
請求項１から請求項５のいずれかに記載の電子時計において、
前記制御手段は、前記負荷の動作中における前記電池電圧検出手段による電池電圧の検出間隔を、前記負荷が動作していない場合の検出間隔に比べて短くする
ことを特徴とする電子時計。
【請求項７】
請求項１から請求項６のいずれかに記載の電子時計において、
前記制御手段は、前記負荷の動作中に前記電池電圧検出手段で検出した前記二次電池の電圧が、前記第一電圧よりも低い第三電圧未満に低下した場合は、前記負荷の動作を停止する
ことを特徴とする電子時計。
【請求項８】
請求項１から請求項７のいずれかに記載の電子時計において、
前記充電手段が前記二次電池に電力を充電している充電状態であるか、あるいは、非充電状態であるかを検出する充電状態検出手段を備え、
前記制御手段は、前記充電手段が充電状態の場合は、前記電池電圧検出手段による電池電圧の検出間隔を、非充電状態の場合に比べて長くする
ことを特徴とする電子時計。
【請求項９】
請求項１から請求項７のいずれかに記載の電子時計において、
前記充電手段が前記二次電池に電力を充電している充電状態であるか、あるいは、非充電状態であるかを検出する充電状態検出手段を備え、
前記制御手段は、前記充電手段が充電状態の場合は、前記電池電圧検出手段による電池電圧の検出動作を停止する
ことを特徴とする電子時計。
【請求項１０】
請求項１から請求項７のいずれかに記載の電子時計において、
前記充電手段は、ソーラーセルを備えて構成され、
前記ソーラーセルの開放電圧を検出する開放電圧検出手段を備え、
前記制御手段は、前記開放電圧が設定値以上の場合は、前記電池電圧検出手段による電池電圧の検出動作を停止する
ことを特徴とする電子時計。
【発明の詳細な説明】
【技術分野】
【０００１】
本発明は、電子時計にかかり、特に電力消費が大きな負荷を有する電子時計に関する。
【背景技術】
【０００２】
従来、腕時計等の携帯型の時計は、一次電池や二次電池の電力で駆動される。このため、電池電圧が低下すると、水晶振動子やＩＣ等で構成される計時回路が停止して、計時機能を維持できなくなり、時計として機能しなくなる。
従って、電池電圧がＩＣなどを駆動できない電圧（停止電圧）に低下する前に、ＢＬＤ運針を行うことで、利用者に電池電圧が低下していることを知らせるものがある（例えば特許文献１参照）。
なお、ＢＬＤ運針とは、電池電圧低下表示（Battery Low Display）や、電池寿命切れ予告表示（battery life indicator）などと呼ばれる運針であり、特許文献１では、秒針を２秒ごとに２秒分運針させて、通常の運針と異なる動作をさせている。
【０００３】
特許文献１は、標準電波を受信する電波修正時計であり、特許文献１の図７に示すように、電池電圧が１．１０Ｖより大きく、かつ、１．２０Ｖ以下の場合にＢＬＤ運針を行い、電池電圧が１．１０Ｖ以下の場合に受信停止および運針停止の制御を行っていた。すなわち、電池電圧の低下に伴い、まずＢＬＤ運針を開始し、さらに電池電圧が低下した場合に受信停止および運針停止を行っていた。
【先行技術文献】
【特許文献】
【０００４】
【特許文献１】特開２００５−３０８３９６号公報
【発明の概要】
【発明が解決しようとする課題】
【０００５】
ところで、電子時計において、計時機能以外で電池の電力で駆動される負荷としては、前記特許文献１のような標準電波を受信する受信回路に限らない。例えば、近年、ＧＰＳ（Global Positioning System）衛星からの衛星信号を受信して測位や時刻修正を行う電子時計が開発されている。この電子時計では、ＧＰＳ受信回路が負荷となる。また、Bluetooth（登録商標）などの無線通信回路、振動モーター、バックライトなどの照明装置、アラームなどを発するスピーカーなども電子時計の負荷となる。
【０００６】
これらの負荷は消費電流が大きいため、特許文献１のように、ＢＬＤ表示中に負荷を作動させると大幅な電圧低下が生じ、電池電圧が負荷を作動させるのに必要な電圧以下に低下したり、ＩＣの駆動電圧以下に低下して回路が停止するという問題があった。
【０００７】
このため、電池電圧が所定の閾値に低下した際に、ＢＬＤ表示と負荷の作動禁止とを同時に行うことが考えられる。この場合、前記所定の閾値は、負荷を作動させても電池電圧が負荷やＩＣの停止電圧以下に低下しないように、ある程度高いレベルに設定する必要がある。
従って、電池電圧がある程度高いレベルでＢＬＤ表示が開始するため、通常の計時表示を行う期間が短くなるという問題が生じる。
【０００８】
本発明の目的は、負荷の停止を防止でき、かつ、通常の計時表示を長期間継続できる電子時計を提供することにある。
【課題を解決するための手段】
【０００９】
本発明の電子時計は、二次電池と、前記二次電池に電力を充電する充電手段と、前記二次電池の電力で駆動されて時刻を計時する計時手段と、前記二次電池の電力で駆動されて前記時刻を表示する時刻表示手段と、前記二次電池の電力で駆動されて計時以外の機能を実行する負荷と、前記二次電池の電圧を検出する電池電圧検出手段と、前記二次電池の電圧が第一電圧未満に低下した場合は、前記二次電池の残量レベルを記憶する記憶部に電池残量が低下したことを示すデータを記憶し、かつ、前記負荷の駆動開始を禁止する第一制御モードを実行し、前記二次電池の電圧が前記第一電圧よりも低い第二電圧未満に低下した場合は、前記計時手段の停止が近づいていることを予告する第二制御モードを実行する制御手段と、を備えることを特徴とする。
【００１０】
ここで、負荷としては、例えば、ＧＰＳ衛星信号を受信するＧＰＳ受信回路や、標準電波を受信する電波受信回路、Bluetoothなどの双方向で送受信する無線通信回路、ＬＥＤ等を利用したバックライトや照明装置、振動モーターやスピーカーなどの電力で駆動される各種装置を例示できる。要するに、本発明の負荷は、電子時計に組み込まれて計時機能以外の各種機能を実現するための各種装置であり、特に、計時手段や時刻表示手段に比べて消費電力の大きな装置であることが好ましい。
また、前記充電手段としては、二次電池に電力を充電するものであればよく、例えば、外部電源に有線あるいは無線で接続されて電力供給を受ける装置でもよいし、電子時計内に組み込まれたソーラーセルや回転錘を用いた発電機などの各種発電手段でもよい。
【００１１】
このような本発明によれば、二次電池の電圧を検出し、その電圧が第一電圧未満、第二電圧以上であった場合、制御手段は第一制御モードを実行する。この第一制御モードでは、制御手段は、前記二次電池の残量レベルを記憶する記憶部に電池残量が低下したことを示すデータ、例えば「Ｅｍｐｔｙ」を意味する「Ｅ」を記憶する。また、制御手段は、負荷の駆動開始を禁止する。このため、負荷の駆動が開始されて電池電圧が大幅に低下して負荷の駆動を停止しなければならない状態を防止できる。さらに、残量レベルの記憶部に電池残量が低下したことを示すデータが記憶されるため、この記憶部のデータに基づいて電池残量を表示すれば、利用者に対して二次電池の充電を促すこともできる。
また、第一制御モードは、負荷の駆動開始は禁止しているが、計時手段や時刻表示手段の駆動は禁止されていないので、通常の計時表示を継続できる。従って、第一制御モードの実行中も、電子時計の時刻表示機能は長期間継続でき、電子時計として長期間利用できる。
【００１２】
また、二次電池の電圧を検出し、その電圧が第二電圧未満であった場合、制御手段は第二制御モードを実行する。この第二制御モードでは、計時機能を維持できない状態、つまり計時手段を停止しなければならない状態が近づいていることを予告できるため、利用者に充電を促すことができる。この第二制御モードでは、負荷の駆動開始も禁止されているので、負荷の駆動が開始されることで、電池電圧が大幅に低下することもない。従って、二次電池の電圧が、計時機能を維持できないレベルまで低下することを防止でき、電子時計の使い勝手を損なうことがない。
さらに、本発明において、第一制御モード時に二次電池の残量を表示し、第二制御モード時に前記予告を表示すれば、利用者は、第一制御モードで動作しているのか、第二制御モードで動作しているのかを容易に把握でき、この点でも使い勝手のよい電子時計とすることができる。
【００１３】
本発明の電子時計において、前記二次電池の電池残量を表示する残量表示手段と、前記計時手段の停止を予告する予告表示手段と、を備え、前記時刻表示手段は秒針を備え、前記残量表示手段は、前記第一制御モードが実行された場合は、前記秒針とは別の指針を、電池残量を表示するインジケーター針として用い、前記予告表示手段は、前記第二制御モードが実行された場合は、前記秒針を通常の運針と異なる運針で作動させることが好ましい。
【００１４】
本発明によれば、残量表示用のインジケーター針と、予告表示用の秒針とを別々に設けているので、残量表示手段および予告表示手段により、第一制御モード、第二制御モードの各状態を分かりやすく表示できる。このため、利用者は、電子時計の状態（制御モード）を容易に把握でき、充電が必要な状態であるかも容易に確認できるため、使い勝手を向上できる。
さらに、予告表示状態（第二制御モード）では、秒針をたとえば２秒運針のように、通常の運針と異なる状態で運針するため、利用者は第二制御モードが実行されているか否かを容易に把握できる。
【００１５】
本発明の電子時計において、前記二次電池の電池残量を表示する残量表示手段と、前記計時手段の停止を予告する予告表示手段と、を備え、前記時刻表示手段は秒針を備え、前記残量表示手段は、前記第一制御モードが実行された場合は、前記秒針を、電池残量を表示するインジケーター針として用い、前記予告表示手段は、前記第二制御モードが実行された場合は、前記秒針を通常の運針と異なる運針で作動させることが好ましい。
【００１６】
秒針を、残量表示用と、予告表示用とで兼用しているので、秒針とは別のインジケーター針を設ける場合に比べて部品点数を少なくできてコストを低減できる。
さらに、予告表示状態（第二制御モード）では、秒針をたとえば２秒運針のように、通常の運針と異なる状態で運針するため、利用者は第二制御モードが実行されているか否かを容易に把握できる。
【００１７】
本発明の電子時計において、ボタンを備え、前記制御手段は、前記第一制御モードの実行時に前記ボタンが押されると前記残量表示手段を作動し、前記記憶部に記憶されたデータに基づいて電池残量を表示することが好ましい。
【００１８】
利用者がボタンを操作した場合のみ電池残量を表示すれば、利用者が電池残量の情報を確認したい場合のみ表示できる。このため、残量表示手段を、通常時は他の情報（秒や曜日）の表示に利用できる。従って、秒針や曜日針などを残量表示手段として兼用でき、部品点数を少なくできてコストを低減できる。
【００１９】
本発明において、前記制御手段は、前記負荷の動作中は、前記残量表示手段による電池残量の表示を更新しないことが好ましい。
【００２０】
ＧＰＳ受信回路などの負荷が動作している間は、電池電圧も時間経過と共に大幅に低下する。このため、負荷の駆動中に電池残量の表示を更新すると、利用者は電池電圧の低下に不安を感じる虞がある。
一方、本発明では、負荷の駆動中に電池残量の表示を更新しないので、利用者に不安を与えることを防止できる。
【００２１】
本発明において、前記制御手段は、前記負荷の動作中における前記電池電圧検出手段による電池電圧の検出間隔を、前記負荷が動作していない場合の検出間隔に比べて短くすることが好ましい。
【００２２】
負荷の動作中、例えばＧＰＳ受信回路を作動させて受信処理を行っている間は、電池電圧の検出間隔を短くしているので、負荷の動作による電圧変化に迅速に追従して電圧を検出できる。このため、電池電圧が所定値未満に低下したことを即座に検出して、負荷の動作を停止させることができる。従って、負荷の動作を継続したために電池電圧が大幅に低下し、計時手段も停止してしまうことを防止できる。これにより、計時手段による計時機能は最低限維持でき、電子時計としての利用を継続できる。
【００２３】
本発明の電子時計において、前記制御手段は、前記負荷の動作中に前記電池電圧検出手段で検出した前記二次電池の電圧が、前記第一電圧よりも低い第三電圧未満に低下した場合は、前記負荷の動作を停止することが好ましい。
【００２４】
負荷の動作中に電池電圧が第三電圧未満に低下した場合に負荷の動作を停止すれば、負荷の動作を継続したために電池電圧が大幅に低下し、計時手段も停止してしまうことを防止できる。これにより、計時手段による計時機能は最低限維持でき、電子時計としての利用を継続できる。
なお、前記第三電圧は、第一電圧よりも低い電圧であればよく、具体的には負荷の動作を継続できない電圧値に設定すればよい。このため、第三電圧は、負荷の種類によって決定し、第二電圧より高い場合と低い場合がある。
【００２５】
本発明において、前記充電手段が前記二次電池に電力を充電している充電状態であるか、あるいは、非充電状態であるかを検出する充電状態検出手段を備え、前記制御手段は、前記充電手段が充電状態の場合は、前記電池電圧検出手段による電池電圧の検出間隔を、非充電状態の場合に比べて長くすることが好ましい。
【００２６】
二次電池の充電中は、電池の内部抵抗により一時的に電圧が高くなる。このため、充電時間がある程度の時間継続するまでは、検出電圧は実際の電圧よりも高くなり、電池残量（電池容量）も見かけの電池容量になってしまう。
このため、本発明では、電池電圧の検出間隔を、非充電状態の場合に比べて長くしているので、充電処理をある程度の時間継続してから電池電圧を検出でき、実際の電池電圧と検出電圧の誤差も小さくできる。従って、充電状態の検出間隔を、非充電状態と同じにしている場合に比べて、電池電圧の検出精度を向上できる。従って、第一制御モードや第二制御モードを適切に実行できる。
【００２７】
本発明の電子時計は、前記充電手段が前記二次電池に電力を充電している充電状態であるか、あるいは、非充電状態であるかを検出する充電状態検出手段を備え、前記制御手段は、前記充電手段が充電状態の場合は、前記電池電圧検出手段による電池電圧の検出動作を停止することが好ましい。
【００２８】
本発明によれば、充電状態の場合は電池電圧の検出動作を停止するため、充電中に一時的に高くなる電圧を検出することもない。このため、実際の電圧値との誤差の大きな検出電圧に基づいて各制御モードを実行してしまうことを防止できる。
【００２９】
本発明の電子時計において、前記充電手段は、ソーラーセルを備えて構成され、前記ソーラーセルの開放電圧を検出する開放電圧検出手段を備え、前記制御手段は、前記開放電圧が設定値以上の場合は、前記電池電圧検出手段による電池電圧の検出動作を停止することが好ましい。
【００３０】
充電手段としてソーラーセルを用いれば、ソーラーセルに太陽や照明装置の光をあてることで電力を発電して二次電池に充電することができる。このため、利用者は、残量表示手段による電池残量の低下を確認した時点で、容易に二次電池を充電できる。
また、開放電圧検出手段によってソーラーセルの開放電圧を検出しているので、ソーラーセルに当たっている光の強さや、充電電流の大きさを把握できる。そして、開放電圧が設定値以上と大きい場合は、充電電流も大きくなって一時的に電池電圧が高くなる。この場合、電池電圧の検出動作を停止しているので、充電電流が大きいために一時的に高くなる電圧を検出することもない。このため、実際の電圧値との誤差の大きな検出電圧に基づいて各制御モードを実行してしまうことを防止できる。
【図面の簡単な説明】
【００３１】
【図１】本発明の第１実施形態の電子時計を示す平面図である。
【図２】前記電子時計の概略断面図である。
【図３】前記電子時計の回路構成を示すブロック図である。
【図４】第１実施形態における電圧検出処理を示すフローチャートである。
【図５】ＧＰＳ受信回路の動作中の処理を示すフローチャートである。
【図６】電池電圧と電池容量の関係を示すグラフである。
【図７】電池電圧、電池容量と、インジケーター針で指示する残量レベル、秒針の運針モード、持続日数の関係を示す図である。
【図８】ＧＰＳ受信回路の動作開始時からの経過時間と、電池電圧の変化の関係を示すグラフである。
【図９】第２実施形態における電圧検出処理を示すフローチャートである。
【図１０】第２実施形態における充電状態検出および電池電圧検出のタイミングを説明する図である。
【図１１】第３実施形態における電圧検出処理を示すフローチャートである。
【図１２】第４実施形態における電圧検出処理を示すフローチャートである。
【図１３】第５実施形態における電子時計を示す平面図である。
【図１４】第６実施形態における電子時計を示す平面図である。
【図１５】第７実施形態における電子時計を示す平面図である。
【発明を実施するための形態】
【００３２】
［第１実施形態］
以下、この発明の好適な実施の形態の一つである第１実施形態を、添付図面等を参照しながら詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３３】
［電子時計の構造］
図１は、本発明の第１実施形態に係る衛星信号受信装置（ＧＰＳ受信装置）を備える電子時計１の平面図であり、図２は電子時計１の概略断面図である。図１から明らかなように、電子時計１は、使用者の手首に装着される腕時計（電子時計）であり、文字板１１および指針１２を備え、時刻を計時して表面に表示する。文字板１１の大部分は、光および１．５ＧＨｚ帯のマイクロ波が透過し易い非金属の材料（例えば、プラスチックまたはガラス）で形成されている。指針１２は、文字板１１の表面側に設けられている。また、指針１２は、回転軸１３を中心に回転移動する秒針１２１、分針１２２および時針１２３を含み、歯車を介してステップモーターで駆動される。
【００３４】
電子時計１では、リューズ１４やボタン１５、ボタン１６の手動操作に応じた処理が実行される。具体的には、リューズ１４が操作されると、その操作に応じて表示時刻を修正する手動修正処理が実行される。
また、ボタン１５が長時間（例えば３秒以上の時間）にわたって押されると、衛星信号を受信するための受信処理が実行される。なお、電子時計１は、あらかじめ設定された時刻になると、自動的に衛星信号を受信する自動受信機能も備えている。
また、ボタン１６が押されると、受信モードを、測時モードまたは測位モードに交互に切り替える切替処理が実行される。この際、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。このため、利用者は設定された受信モードを容易に確認できる。
【００３５】
また、ボタン１５が短時間にわたって押されると、前回の受信処理の結果を表示する結果表示処理が行われる。例えば、測時モードで受信成功の場合には、秒針１２１が「Ｔｉｍｅ」（５秒位置）の位置に移動し、測位モードで受信成功の場合には、秒針１２１が「Ｆｉｘ」（１０秒位置）の位置に移動する。また、受信失敗の場合には秒針１２１が「Ｎ」の位置（２０秒位置）に移動する。
なお、これらの秒針１２１による指示は受信中も行われる。すなわち、測時モードで受信中は秒針１２１が「Ｔｉｍｅ」の位置（５秒位置）に移動し、測位モードで受信中は秒針１２１が「Ｆｉｘ」の位置（１０秒位置）に移動する。また、ＧＰＳ衛星が捕捉できない場合は秒針１２１が「Ｎ」の位置（２０秒位置）に移動する。
【００３６】
さらに、電子時計１は、残量表示手段６０であるインジケーター針６１を備える。インジケーター針６１は、指針１２の回転軸１３の６時側に配置されている。このインジケーター針６１の役割は、後述する。
【００３７】
図２に示すように、電子時計１は、ステンレス鋼（ＳＵＳ）やチタン等の金属で構成された外装ケース１７を備えている。外装ケース１７は、略円筒状に形成されている。外装ケース１７の表面側の開口には、ベゼル１８を介して表面ガラス１９が取り付けられている。ベゼル１８は、衛星信号の受信性能を向上させるためにセラミックス等の非金属材料で構成される。外装ケース１７の裏面側の開口には、裏蓋２０が取り付けられている。外装ケース１７の内部には、ムーブメント２１、ソーラーセル２２、ＧＰＳアンテナ２３、二次電池２４等が配置されている。
【００３８】
ムーブメント２１は、ステップモーターや輪列２１１を含んで構成されている。ステップモーターは、モーターコイル２１２、ステーター、ローター等で構成されており、輪列２１１や回転軸１３を介して指針１２を駆動する。
ムーブメント２１の裏蓋２０側には、回路基板２５が配置されている。回路基板２５は、コネクター２６を介してアンテナ基板２７および二次電池２４と接続されている。
【００３９】
回路基板２５には、ＧＰＳアンテナ２３で受信した衛星信号を処理する受信回路を含むＧＰＳ受信回路３０、ステップモーターの駆動制御等の各種の制御を行う制御回路４０等が取り付けられている。ＧＰＳ受信回路３０や制御回路４０は、シールド板２９に覆われており、二次電池２４から供給される電力で駆動される。
【００４０】
ソーラーセル２２は、光エネルギーを電気エネルギーに変換する光発電を行う光発電素子である。ソーラーセル２２は、発生した電力を出力するための電極を備え、文字板１１の裏面側に配置されている。文字板１１の大部分は、光が透過し易い材料で形成されているから、ソーラーセル２２は、表面ガラス１９および文字板１１を透過した光を受光して光発電を行うことができる。
【００４１】
二次電池２４は、電子時計１の電源であり、ソーラーセル２２で発生した電力を蓄積する。従って、二次電池２４はソーラーセル２２によって充電されるため、本実施形態ではソーラーセル２２が充電手段を構成している。
電子時計１では、ソーラーセル２２の二つの電極と二次電池２４の二つの電極とをそれぞれ電気的に接続することが可能であり、接続時には、ソーラーセル２２の光発電によって二次電池２４が充電される。なお、本実施形態では、二次電池２４として、携帯機器に好適なリチウムイオン電池を用いているが、リチウムポリマー電池や他の二次電池を用いてもよいし、二次電池とは異なる蓄電体（例えば容量素子）を用いてもよい。
【００４２】
ＧＰＳアンテナ２３は、１．５ＧＨｚ帯のマイクロ波を受信するアンテナであり、文字板１１の裏面側に配置され、裏蓋２０側のアンテナ基板２７上に実装されている。文字板１１に直交する方向において、ＧＰＳアンテナ２３と重なる文字板１１の部分は、１．５ＧＨｚ帯のマイクロ波が透過し易い材料（例えば、導電率および透磁性の低い非金属の材料）で形成されている。また、ＧＰＳアンテナ２３と文字板１１との間には電極を備えたソーラーセル２２が介在しない。よって、ＧＰＳアンテナ２３は、表面ガラス１９および文字板１１を透過した衛星信号を受信することができる。
【００４３】
ところで、ＧＰＳアンテナ２３とソーラーセル２２の距離が近いほど、ＧＰＳアンテナ２３とソーラーセル２２内の金属部材が電気的に結合してロスが発生したり、ＧＰＳアンテナ２３の放射パターンがソーラーセル２２に遮られて小さくなったりする。そのため、受信性能が劣化しないように、実施形態では、ＧＰＳアンテナ２３とソーラーセル２２との距離が所定値以上になるように配置されている。
【００４４】
また、ＧＰＳアンテナ２３は、ソーラーセル２２以外の金属部材との距離も所定値以上となるように配置されている。例えば、外装ケース１７やムーブメント２１が金属部材で構成されている場合、ＧＰＳアンテナ２３は、外装ケース１７との距離およびムーブメント２１との距離がともに所定値以上になるように配置される。なお、ＧＰＳアンテナ２３としては、パッチアンテナ（マイクロストリップアンテナ）、ヘリカルアンテナ、チップアンテナ、逆Ｆアンテナ等を採用可能である。
【００４５】
ＧＰＳ受信回路３０は、二次電池２４に蓄積された電力で駆動される負荷であり、各回の駆動毎に、ＧＰＳアンテナ２３を通じてＧＰＳ衛星からの衛星信号の受信を試み、受信に成功した場合には、取得した軌道情報やＧＰＳ時刻情報等の情報を制御回路４０へ供給し、失敗した場合には、その旨の情報を制御回路４０へ供給する。なお、ＧＰＳ受信回路３０の構成は、公知のＧＰＳ受信回路の構成と同様であるため、その説明を省略する。
【００４６】
図３は、電子時計１の回路構成を示すブロック図である。この図に示すように、電子時計１は、充電手段であるソーラーセル２２と、二次電池２４と、負荷であるＧＰＳ受信回路３０と、制御手段である制御回路４０と、ダイオード４１と、充電制御用スイッチ４２と、充電状態検出手段である発電状態検出回路４３と、開放電圧検出手段である開放電圧検出回路４４と、電池電圧検出手段である電池電圧検出回路４５と、計時手段５１と、時刻表示手段５２と、残量表示手段６０と、予告表示手段７０を備えている。
【００４７】
制御回路４０は、衛星信号受信装置を備える電子時計１を制御するためのＣＰＵで構成されている。この制御回路４０は、後述するように、ＧＰＳ受信回路３０を制御して受信処理を実行する。また、制御回路４０は、電池電圧検出回路４５で検出した電池電圧に基づく二次電池２４の残量レベルを記憶する記憶部４０Ａを備えている。
また、制御回路４０は、計時手段５１および時刻表示手段５２を制御して計時処理および時刻表示処理を行う。
さらに、制御回路４０は、充電制御用スイッチ４２、発電状態検出回路４３、開放電圧検出回路４４、電池電圧検出回路４５、残量表示手段６０、予告表示手段７０の動作を制御する。
【００４８】
ダイオード４１は、ソーラーセル２２と二次電池２４とを電気的に接続する経路に設けられ、ソーラーセル２２から二次電池２４への電流（順方向電流）を遮断せずに、二次電池２４からソーラーセル２２への電流（逆方向電流）を遮断する。なお、順方向電流が流れるのは、二次電池２４の電圧よりもソーラーセル２２の電圧が高い場合、すなわち充電時に限られる。ダイオード４１は、ソーラーセル２２の電圧が二次電池２４よりも低くなった場合は、二次電池２４からソーラーセル２２に電流が流れることを防止する。
また、ダイオード４１に代えて電界効果トランジスター（ＦＥＴ）を採用してもよい。
【００４９】
充電制御用スイッチ４２は、ソーラーセル２２から二次電池２４への電流の経路を接続および切断するものであり、ソーラーセル２２と二次電池２４とを電気的に接続する経路に設けられたスイッチング素子を備えている。スイッチング素子がオフ状態からオン状態に遷移するとオン（接続）し、スイッチング素子がオン状態からオフ状態へ遷移するとオフ（切断）する。
例えば、過充電により電池特性が劣化する状態にならないよう、二次電池２４の電池電圧が所定値以上となる場合には、充電制御用スイッチ４２をオフする
【００５０】
スイッチング素子は、ｐチャネル型のトランジスターであり、ゲート電圧がローレベルの場合にはオン状態となり、ハイレベルの場合にはオフ状態となる。ゲート電圧は、制御回路４０が制御する。
【００５１】
発電状態検出回路４３は、発電状態（充電状態）の検出タイミングを指定する制御信号に基づいて作動し、ソーラーセル２２から二次電池２４への充電状態を検出し、検出結果を制御回路４０へ出力する。検出結果は、「発電状態（充電状態）」または「非発電状態（非充電状態）」のいずれかである。この検出結果は、電池電圧ＶＣＣと充電制御用スイッチ４２がオンのときのソーラーセル２２のＰＶＩＮとに基づいて判断される。例えば、ダイオード４１の降下電圧をＶｔｈとし、スイッチング素子のオン抵抗を無視したとき、ＰＶＩＮ−Ｖｔｈ＞ＶＣＣの場合には「充電状態」と判定し、ＰＶＩＮ−Ｖｔｈ≦ＶＣＣの場合には「非充電状態」と判定する。
【００５２】
本実施形態では、制御信号は、周期が１秒のパルス信号であり、発電状態検出回路４３は、制御信号がハイレベルの期間において充電状態の検出を行う。つまり、発電状態検出回路４３は、充電制御用スイッチ４２を接続状態に維持したまま、充電状態の検出を１秒周期で繰り返し行う。
【００５３】
なお、充電状態の検出を間欠的に行うのは、発電状態検出回路４３の消費電力量を低減するためである。この低減が不要であれば、充電状態が連続的に検出されるようにしてもよい。発電状態検出回路４３は、例えば、コンパレーター、Ａ／Ｄコンバーター等を用いて構成することができる。
【００５４】
開放電圧検出回路４４は、電圧の検出タイミングを指定する制御信号に基づいて作動し、この制御信号により充電制御用スイッチ４２がオフとされた期間においてソーラーセル２２の端子電圧ＰＶＩＮ、すなわちソーラーセル２２の開放電圧を検出する。また、開放電圧検出回路４４は、開放電圧の検出結果を制御回路４０へ出力する。
電池電圧検出回路４５は、二次電池２４の電池電圧ＶＣＣを測定する。
【００５５】
計時手段５１は、水晶振動子などの基準信号を出力する基準信号源や、基準信号をカウントして計時するカウンターなどを備える。また、計時手段５１は、ＧＰＳ受信回路３０で時刻情報を受信した場合には、受信した時刻情報で前記カウンターを更新して時刻修正を行う。
時刻表示手段５２は、二次電池２４に蓄積された電力で駆動されるムーブメント２１を備え、前記指針１２を動かして計時手段５１で計時した時刻を電子時計１の表面に表示する。
【００５６】
残量表示手段６０は、後述するように、二次電池２４の電池電圧に基づく電池残量（電池容量）を表示する。具体的には、残量表示手段６０は、記憶部４０Ａに記憶された残量レベルを、前記インジケーター針６１を用いて表示する。なお、本実施形態では、残量表示手段６０は、ボタン操作などが行われなくても、記憶部４０Ａに記憶された残量レベルを自動的に表示する。
【００５７】
予告表示手段７０は、後述するように、二次電池２４の電池電圧に基づいて予告表示を行う。本実施形態では、秒針１２１を２秒運針することで表示する。
【００５８】
［制御回路の動作］
このような電子時計１における制御回路４０の動作について、図４、５のフローチャートに基づき説明する。なお、本実施形態では、第一電圧は３．６Ｖ、第二電圧は３．４Ｖ、第三電圧は３．２Ｖに設定している。
【００５９】
制御回路４０は、まず電池電圧検出タイミングになったかを判定する（Ｓ１）。本実施形態では、電池電圧検出タイミングは例えば１分毎に設定されている。
Ｓ１でＹｅｓと判定されると、制御回路４０は、電池電圧検出回路４５を作動して二次電池２４の電圧を検出する（Ｓ２）。
なお、本実施形態では、図６に示すような特性の二次電池２４を用いている。図６は、電池電圧が４．２Ｖの場合の電池容量を１００％とした場合の二次電池２４の特性を示す。
【００６０】
制御回路４０は、電池電圧検出回路４５で検出した電池電圧のレベルを判定し、各レベルに応じた処理を行う。
具体的には、制御回路４０は、電池電圧が４．０Ｖ以上であるかを判定し（Ｓ３）、４．０Ｖ以上であれば、残量レベルとしてＦｕｌｌを意味する「Ｆ」を記憶部４０Ａに記憶し、このデータに基づいて文字板１１において「Ｆ」を指示する位置にインジケーター針６１を移動する（Ｓ４）。この際、指針１２は通常運針を継続する。このため、秒針１２１は通常の１秒運針（１秒毎にステップ駆動される運針）を継続する。また、制御回路４０は、ＧＰＳ受信回路３０による受信を許可する。このため、予め設定された自動受信時間になった場合（自動受信処理時）や、利用者がボタン１５を３秒以上押して受信開始操作を行った場合（手動受信処理時）には、制御回路４０はＧＰＳ受信回路３０を作動して受信処理を行う。
【００６１】
Ｓ３でＮｏと判定された場合、制御回路４０は、電池電圧が３．６Ｖ以上、４．０Ｖ未満であるかを判定する（Ｓ５）。
制御回路４０は、Ｓ５でＹｅｓと判定されると、残量レベルとしてＭｉｄｄｌｅを意味する「Ｍ」を記憶部４０Ａに記憶し、このデータに基づいて文字板１１において「Ｍ」を指示する位置にインジケーター針６１を移動する（Ｓ６）。この際、指針１２は通常運針（１秒運針）を継続し、かつ、ＧＰＳ受信回路３０による受信を許可する。このため、制御回路４０は、自動受信処理や手動受信処理時に、ＧＰＳ受信回路３０を作動して受信処理を行う。
【００６２】
Ｓ５でＮｏと判定された場合、制御回路４０は、電池電圧が３．４Ｖ以上、３．６Ｖ（第一電圧）未満であるかを判定する（Ｓ７）。
制御回路４０は、Ｓ７でＹｅｓと判定されると、第一制御モードを実行する。すなわち、制御回路４０は、残量レベルとしてＥｍｐｔｙを意味する「Ｅ」を記憶部４０Ａに記憶し、このデータに基づいて文字板１１において「Ｅ」を指示する位置にインジケーター針６１を移動する（Ｓ８）。また、指針１２は通常運針（１秒運針）を継続するが、ＧＰＳ受信回路３０による受信開始（負荷の駆動開始）は禁止する。このため、制御回路４０は、自動受信処理や手動受信処理が行われても、ＧＰＳ受信回路３０を作動することはなく、受信処理開始を禁止する。
【００６３】
Ｓ７でＮｏと判定された場合、制御回路４０は、電池電圧が３．２Ｖ以上、３．４Ｖ（第二電圧）未満であるかを判定する（Ｓ９）。
制御回路４０は、Ｓ９でＹｅｓと判定されると、第二制御モードを実行する。すなわち、制御回路４０は、残量レベルとしてＥｍｐｔｙを意味する「Ｅ」を記憶部４０Ａに記憶し、このデータに基づいて文字板１１において「Ｅ」を指示する位置にインジケーター針６１を移動する（Ｓ１０）。また、制御回路４０は、秒針１２１を用いてＢＬＤ運針を行う。ＢＬＤ運針とは、電池電圧低下表示（Battery Low Display）や、電池寿命切れ予告表示（battery life indicator）を利用者に知らせて、充電を促す機能である。このため、制御回路４０は、秒針１２１を２秒毎に２秒分運針して、通常の１秒毎の運針とは異なる動作をさせることで、利用者にＢＬＤ表示が行われていることを通知する。
また、制御回路４０は、ＧＰＳ受信回路３０による受信も禁止する。
【００６４】
Ｓ９でＮｏと判定された場合、制御回路４０は、電池電圧が３．２Ｖ（第三電圧）未満であるかを判定する（Ｓ１１）。
制御回路４０は、Ｓ１１でＹｅｓと判定されると、残量レベルとしてＥｍｐｔｙを意味する「Ｅ」を記憶部４０Ａに記憶し、このデータに基づいて文字板１１において「Ｅ」を指示する位置にインジケーター針６１を移動する（Ｓ１２）。また、制御回路４０は、秒針１２１を停止し、ＧＰＳ受信回路３０による受信も禁止する。
なお、Ｓ９で「Ｎｏ」と判断された場合は、電池電圧は３．２Ｖ未満であるはずであるから、Ｓ１１の判定処理を行わずに、直接Ｓ１２の処理を行ってもよい。
【００６５】
次に、ＧＰＳ受信回路３０が作動中の場合の処理に関し、図５のフローチャートに基づき説明する。
受信処理が開始されると、制御回路４０は、まず、電池電圧の検出タイミングであるかを判定する（Ｓ２１）。本実施形態では、受信中の電池電圧検出タイミングは、受信中でない場合の１分間隔よりも短い１秒間隔に設定されている。
制御回路４０は、Ｓ２１でＹｅｓと判定すると、１秒毎に電池電圧検出回路４５を作動して二次電池２４の電圧を検出する（Ｓ２２）。
【００６６】
そして、制御回路４０は、検出した電池電圧が第三電圧（本実施形態では３．２Ｖ）未満であるかを判定する（Ｓ２３）。電池電圧が第三電圧以上であり、Ｓ２３でＮｏと判定されると、制御回路４０は受信処理が終了したかを判定する（Ｓ２４）。
制御回路４０は、必要なデータを受信した場合や、受信開始から設定時間経過した場合は、Ｓ２４で受信終了と判定する。一方、制御回路４０は、Ｓ２４で受信終了ではないと判定した場合は、Ｓ２１に戻って処理を継続する。
【００６７】
制御回路４０は、Ｓ２３で電池電圧が第三電圧未満の場合（Ｓ２３でＹｅｓと判定された場合）、受信処理を中止する（Ｓ２５）。
そして、制御回路４０は、Ｓ２５で受信処理を中止した場合や、Ｓ２４で受信終了と判定した場合、図５の処理を終了する。
なお、ＧＰＳ受信回路３０が作動中は、図５の処理のみが行われ、図４の処理は実行されない。このため、ＧＰＳ受信回路３０の動作中は残量表示手段６０による残量レベルの表示処理も更新されない。
【００６８】
以上の各電池電圧レベルにおける電池容量、インジケーター針６１の指示（残量レベル）、秒針１２１の運針制御、持続日数の関係を図７に示す。ここで、持続日数は、二次電池２４の電圧に対して、受信処理を行わなかった場合の電子時計１が作動する持続時間（日数）である。
また、図８は、受信開始時から終了時までの電池電圧の変化を示す。この図８に示すように、電池電圧が第一電圧である３．６Ｖより低い電圧で受信を行うと、内部インピーダンスが上昇して受信電流により電池電圧が受信動作に必要な第三電圧（例えば３．２Ｖ）以下に低下する。このように、電池電圧が３．６Ｖ以下の状態で受信処理を行うと、負荷であるＧＰＳ受信回路３０を作動させるのに必要な電圧（３．２Ｖ）を下回るため、受信ができなくなる。このため、電池電圧が３．６Ｖ以下の状態では受信処理を実行しないように制限する必要がある。
一方、電池電圧が第一電圧以上、例えば３．９Ｖ程度あれば、受信処理で電池電圧が低下しても、受信するのに必要な電圧（３．２Ｖ）を下回ることがないため、受信を制限する必要は無い。
【００６９】
従って、図４や図７に示すように、電池電圧が４．０Ｖ以上であれば、十分に受信可能な状態であるので、インジケーター針６１は残量レベルとして「Ｆ」を示し、通常運針（１秒運針）を継続し、受信処理も制限されない。
電池電圧が３．６Ｖ以上、４．０Ｖ未満の時は、電池容量は多少減少するため、インジケーター針６１は残量レベルとして「Ｍ」を示すが、通常運針（１秒運針）を継続し、受信処理も制限されない。すなわち、電子時計１の動作は制限しないが、インジケーター針６１で「Ｍ」を指示することで、電池電圧が低下して「Ｅ」状態、つまり受信が制限される状態に近づいていることを利用者に告知し、二次電池２４への充電を促す。電子時計１は、ソーラーセル２２を備えているので、利用者がソーラーセル２２に光を照射することで、二次電池２４への充電を行うことができる。
【００７０】
電池電圧が第一電圧である３．６Ｖ未満であると、前述したように第一制御モードが実行されて受信処理を開始できないので、インジケーター針６１は残量レベルとして「Ｅ」を指示する。このため、制御回路４０は、ボタン１５が押されても強制受信処理を行わず、また、自動受信処理時間になっても自動受信処理を行わない。
一方で、電池電圧が３．６Ｖ未満であっても、第二電圧である３．４Ｖ以上であれば、持続日数は６５日と十分な期間、時計として機能する。この６５日の期間は、受信機能以外の通常の時計としての機能は十分に利用できるので、秒針１２１を２秒運針させて通常と異なる動作をさせるのは無駄である。従って、制御回路４０は、秒針１２１の１秒運針を継続する。
【００７１】
また、電池電圧が第二電圧である３．４Ｖ未満になると、時計として機能できる日数が減ってくるので、制御回路４０は、秒針１２１を２秒運針（ＢＬＤ運針）にし、利用者に電池電圧が低下していることを通知し、ソーラーセル２２に即座に光に当てて充電することを促す。
【００７２】
［第１実施形態の作用効果］
このような第１実施形態によれば、以下の作用効果が得られる。
制御回路４０は、一定周期で電池電圧検出回路４５を作動して二次電池２４の電池電圧を検出し、二次電池２４の電池電圧が第一電圧（本実施形態では３．６Ｖ）未満に低下すると、インジケーター針６１で「Ｅ」を指示させ、かつ、受信動作を禁止する。このため、電池電圧が第一電圧未満に低下した状態で受信動作が開始されることがないため、受信動作中に電池電圧が低下して受信処理を中止しなければならない状態を未然に回避できる。このため、受信処理のために無駄に電力を消費することもなく、二次電池２４を有効に活用でき、持続時間も長くできる。
【００７３】
また、制御回路４０は、二次電池２４の電池電圧が第二電圧（本実施形態では３．４Ｖ）未満に低下すると、秒針１２１を２秒運針させてＢＬＤ表示を行う。このため、利用者に電池電圧が低下していることを通知でき、ソーラーセル２２による充電を促すことができる。従って、電池電圧が更に低下して３．２Ｖ未満になり、運針を停止しなければならない状態になることを容易に防止できる。
【００７４】
さらに、制御回路４０は、インジケーター針６１によって、電池電圧が第一電圧未満で受信動作を禁止している状態（「Ｅ」）を通知し、秒針１２１でＢＬＤ状態を通知している。このように、インジケーター針６１および秒針１２１を用いて、２つの状態を通知しているので、利用者は現在の状況を把握しやすく、電子時計１の使い勝手を向上できる。
【００７５】
また、制御回路４０は、二次電池２４の電池電圧が第一電圧未満、第二電圧以上の状態では、受信動作は禁止するが、通常の１秒運針を継続している。このため、受信動作の禁止と同時にＢＬＤ表示用の運針を行う場合や、ＢＬＤ表示用の運針を行ってからさらに電池電圧が低下した場合に受信動作を禁止する場合に比べて、時計として利用できる期間を長くできる。この点でも、電子時計１の使い勝手を向上できる。
【００７６】
さらに、秒針１２１を用いてＢＬＤ表示を行っているので、利用者は電池電圧が低下していることを容易に確認できる。また、秒針１２１は独立したモーターで駆動される場合が多いため、１秒運針と２秒運針の切替も容易に行うことができる。
【００７７】
［第２実施形態］
次に本発明の第２実施形態について、図９，１０を参照して説明する。
第２実施形態は、制御回路４０による電池電圧の検出タイミングを、充電状態（発電状態）であるか否かで変更するものであり、それ以降の処理は前記第１実施形態と同一である。従って、図９のフローチャートにおいて、前記図４のフローチャートと同じ処理には同一の符号を付して説明を省略する。
【００７８】
第２実施形態の制御回路４０は、まず充電状態であるかを判定する（Ｓ３１）。具体的には、図１０に示すように、制御回路４０は、１秒間隔の制御信号を出力し、発電状態検出回路４３を１秒毎に作動する。
制御信号が入力されると、発電状態検出回路４３は、充電状態（発電状態）であるか否かを示す検出結果を制御回路４０に出力する。このため、制御回路４０は、充電状態であるか否かを判定する（Ｓ３１）。
【００７９】
制御回路４０は、Ｓ３１でＮｏと判定された場合つまり非充電状態中は、電池電圧検出タイミングを、例えば１分間隔に設定する（Ｓ３２）。一方、制御回路４０は、Ｓ３１でＹｅｓと判定された場合つまり充電状態中は、電池電圧検出タイミングを、例えば２分間隔に設定する（Ｓ３３）。
そして、制御回路４０は、Ｓ３２，３３で設定した電池電圧検出タイミングでＳ１の判定処理を行う。Ｓ１でＹｅｓと判定された後のＳ２〜Ｓ１２の処理は前記第１実施形態と同じである。
なお、本実施形態において、Ｓ１の電池電圧検出タイミングは、図１０に示すように、Ｓ３１の充電状態の検出タイミングと同じでもよいし、異なるタイミングで検出してもよい。さらに、Ｓ３２，３３の検出間隔は、１分、２分に限定されず、充電手段の種類などに応じて適宜設定すればよい。
【００８０】
［第２実施形態の作用効果］
このような第２実施形態によれば、第１実施形態と同じ作用効果が得られる上、充電状態の場合には、電池電圧検出タイミングを２分と通常のタイミングの２倍の間隔に長くしているので、Ｓ２〜Ｓ１２のインジケーター針６１の表示更新間隔や、秒針１２１の運針制御、受信制御の更新間隔を長くすることができる。
ここで、充電中は、二次電池２４の内部抵抗によって、電池電圧検出回路４５で検出される電池電圧が一時的に高くなる。このため、実際の電圧よりも検出電圧が高くなり、このような見かけの電池電圧によって、Ｓ３〜Ｓ１２の処理を行うと、実際の電池容量等と、インジケーター針６１の表示等がずれてしまう。
一方、本実施形態のように、充電中の電池電圧検出タイミングの間隔を長くすれば、インジケーター針６１の表示等が更新されるまでの時間が長くなり、その間、二次電池２４が充電される時間も長くできる。従って、インジケーター針６１の表示などと、実際の電池容量との誤差を小さくでき、各制御モードを適切に実行できる。
【００８１】
［第３実施形態］
次に本発明の第３実施形態について、図１１のフローチャートを参照して説明する。なお、第３実施形態の処理において、前記第１、２実施形態と同じ処理には同一の符号を付して説明を省略する。
第３実施形態では、図１１に示すように、制御回路４０は、電池電圧検出タイミングの判定（Ｓ１）で「Ｙｅｓ」と判定された後、充電状態であるかを判定する（Ｓ３１）。この充電状態の判定処理（Ｓ３１）は、第２実施形態と同じ処理である。
【００８２】
そして、制御回路４０は、Ｓ３１でＹｅｓと判定した場合、Ｓ２〜Ｓ１２の処理は実行せずに、充電中であることを表示する（Ｓ３２）。充電中であることを表示する方法は、例えば、インジケーター針６１を「Ｆ、Ｍ、Ｅ」のいずれも指示しない場所に移動し、電池容量の残量を表示しないことで充電中であることを表示すればよい。あるいは、「充電中」を示す目盛を追加してインジケーター針６１で指示してもよい。
【００８３】
一方、制御回路４０は、Ｓ３１でＮｏと判定した場合、第１、２実施形態と同じくＳ２〜Ｓ１２の処理を行う。
なお、本実施形態においても、Ｓ１の電池電圧検出タイミングと、Ｓ３１の充電状態の検出タイミングとは同じでもよいし、異なるタイミングでもよい。
【００８４】
［第３実施形態の作用効果］
このような第３実施形態によれば、第１実施形態と同じ作用効果が得られる上、充電状態中は、充電中を表示し（Ｓ３２）、Ｓ２〜Ｓ１２の処理を行わない。このため、充電中に、二次電池２４の内部抵抗によって、電池電圧検出回路４５で検出される電池電圧が一時的に高くなることで、実際の電池容量等と、インジケーター針６１の表示等がずれてしまうことを防止できる。Ｓ２〜Ｓ１２の処理は、充電状態でなくなった時点で行われるので、充電後の実際の電池電圧に基づいて各制御モードを適切に実行できる。
【００８５】
［第４実施形態］
次に本発明の第４実施形態について、図１２のフローチャートを参照して説明する。なお、第４実施形態の処理において、前記第１〜３実施形態と同じ処理には同一の符号を付して説明を省略する。
第４実施形態では、図１２に示すように、制御回路４０は、電池電圧検出タイミングの判定（Ｓ１）で「Ｙｅｓ」と判定された後、開放電圧が設定値以上であるかを判定する（Ｓ４１）。
【００８６】
Ｓ４１では、制御回路４０は、充電制御用スイッチ４２をオフ状態に切り替えて、開放電圧検出回路４４を作動して開放電圧を検出し、その値が設定値以上であるかを判定する。ここで、充電制御用スイッチ４２をオフ状態にしているので、ソーラーセル２２および開放電圧検出回路４４は、二次電池２４とは切り離される。このため、開放電圧検出回路４４は、二次電池２４の充電電圧の影響を受けることなく、ソーラーセル２２に当たる光の照度に対応する開放電圧を検出できる。
この開放電圧は、ソーラーセル２２における照度が高くなるほど高くなる。また、ソーラーセル２２は、当たっている照度つまり開放電圧が高いほど、充電電流も多くなる。そして、充電電流が多くなると、二次電池２４における見かけの電圧が高くなる。この状態、Ｓ２〜Ｓ１２の処理を行うと、二次電池２４の実際の電池電圧とインジケーター針６１の指示等が相違する可能性がある。
【００８７】
そこで、本実施形態では、Ｓ４１でＹｅｓと判定された場合は、Ｓ２〜Ｓ１２の処理を行わないように制御している。
なお、前記開放電圧の設定値（閾値）は、充電電流が多くなるレベル、例えば、電子時計１に太陽光が照射している状態であるか否かを判定できるレベルなどに設定すればよい。
また、開放電圧の検出時には、充電制御用スイッチ４２をオフするため、二次電池２４に充電することができない。このため、開放電圧の検出を、電池電圧検出タイミングに合わせて間欠的に行うことが好ましい。
【００８８】
一方、制御回路４０は、Ｓ４１でＮｏと判定した場合、第１〜３実施形態と同じくＳ２〜Ｓ１２の処理を行う。
【００８９】
［第４実施形態の作用効果］
このような第４実施形態によれば、第１実施形態と同じ作用効果が得られる上、開放電圧が設定値以上の場合は、Ｓ２〜Ｓ１２の処理を行わない。このため、ソーラーセル２２に当たっている照度が高く、充電電流が多くなって電池電圧検出回路４５で検出される電池電圧が一時的に高くなることで、実際の電池容量等と、インジケーター針６１の表示等がずれてしまうことを防止できる。Ｓ２〜Ｓ１２の処理は、開放電圧が設定値未満になった時点で行われるので、充電後の実際の電池電圧に基づいて各制御モードを適切に実行できる。
【００９０】
［第５実施形態］
次に本発明の第５実施形態について、図１３を参照して説明する。
第５実施形態の電子時計１Ａは、前記実施形態のインジケーター針６１を無くし、秒針１２１をインジケーター針として兼用したものである。このため、電子時計１Ａでは、たとえば、ボタン１６を所定時間以上押すと、秒針１２１がインジケーター針として動作し、記憶部４０Ａに記憶された最新の残量レベル（電池電圧検出結果）に基づき、「Ｆ，Ｍ，Ｅ」のいずれかを指示する。図１３では、文字板１１の５６秒位置に「Ｆ」、５３秒位置に「Ｍ」、５０秒位置に「Ｅ」が表示されており、インジケーター針である秒針１２１によって、電池容量の残量レベルをインジケーター表示する。
【００９１】
このように第５実施形態は、インジケーター針を秒針１２１で兼用した点が前記実施形態と相違する。従って、電池電圧の検出処理方法は、第１〜４実施形態のいずれを適用してもよい。
【００９２】
［第５実施形態の作用効果］
このような第５実施形態によれば、インジケーター針６１を無くして、秒針１２１で兼用できるので、インジケーター針６１やこのインジケーター針６１を駆動するモーター、輪列を不要にできる。このため、部品点数を少なくできてコストを低減できる。
【００９３】
［第６実施形態］
次に本発明の第６実施形態について、図１４を参照して説明する。
第６実施形態の電子時計１Ｂは、曜日を指示する曜日針１２５を備えるものであり、この曜日針１２５をインジケーター針として兼用したものである。このため、電子時計１Ｂでは、文字板１１に、曜日針１２５で指示される曜日が半円部分に沿って表示されている。
また、この曜日表示に隣接してインジケーター表示用の「Ｆ，Ｍ，Ｅ」も表示されている。具体的には、文字板１１の「Ｓｕｎ」の位置に「Ｆ」、「Ｔｈｕ」の位置に「Ｍ」、「Ｍｏｎ」の位置に「Ｅ」が表示されている。
【００９４】
そして、電子時計１Ｂでは、たとえば、ボタン１６を所定時間以上押すと、通常時は曜日を指示する曜日針１２５がインジケーター針として動作し、記憶部４０Ａに記憶された最新の残量レベル（電池電圧検出結果）に基づき、「Ｆ，Ｍ，Ｅ」のいずれかを指示する。
【００９５】
このように第６実施形態は、インジケーター針を曜日針１２５で兼用した点が前記実施形態と相違する。従って、電池電圧の検出処理方法は、第１〜４実施形態のいずれを適用してもよい。
【００９６】
［第６実施形態の作用効果］
このような第６実施形態によれば、インジケーター針６１を無くして、曜日針１２５で兼用できるので、曜日針１２５とは別にインジケーター針６１を設ける場合に比べて、部品点数を少なくできてコストを低減できる。
【００９７】
［第７実施形態］
次に本発明の第７実施形態について、図１５を参照して説明する。
第７実施形態の電子時計１Ｃは、インジケーター針６１Ａを備え、このインジケーター針６１Ａが、電池残量を表示する残量表示手段６０と予告表示手段７０とを兼用している点が前記各実施形態と異なる。
すなわち、インジケーター針６１Ａは、電池残量を表示するための「Ｆ，Ｍ」の他に、「Ｅ１、Ｅ２」を指示する。「Ｅ１」は、前記各実施形態の「Ｅ」と同様に、電池残量（電圧）が低下しており、受信動作の開始を禁止する第一制御モードを実行している場合に指示される。
一方、「Ｅ２」は、さらに電池残量（電圧）が低下して、計時機構の停止が近づいていることを予告する第二制御モードを実行している場合に指示される。
【００９８】
このように第７実施形態は、インジケーター針６１Ａを、残量表示手段６０として利用するだけでなく、予告表示手段７０としても利用する点が、予告表示手段として秒針１２１を用いていた前記各実施形態と相違する。従って、電池電圧の検出処理方法は、第１〜４実施形態のいずれを適用してもよい。
【００９９】
［第７実施形態の作用効果］
このような第７実施形態によれば、インジケーター針６１Ａを、残量表示手段６０および予告表示手段７０として兼用しているので、利用者はインジケーター針６１Ａの指示のみをチェックすれば、現在第一制御モードであるか、第二制御モードであるかを確認できる。
また、第二制御モードの特殊な運針で秒針１２１を作動させる必要が無く、秒針１２１の制御を容易に行うことができる。
【０１００】
［他の実施形態］
なお、本発明は前記実施形態の構成に限定されず、本発明の要旨の範囲内で種々の変形
実施が可能である。
【０１０１】
例えば、前記各実施形態は、時刻表示手段５２として指針１２を用いたアナログ式の電子時計であったが、液晶ディスプレイなどを用いて時刻を表示するデジタル式の電子時計としてもよい。
また、充電手段としては、ソーラーセル２２に限定されず、回転錘などを用いて発電する発電機を用いてもよい。また、電源コードを用いて外部電源（商用コンセントなど）から充電するものでもよいし、電磁誘導などを利用した非接触充電によって外部電源から充電するものでもよい。
【０１０２】
前記実施形態の残量表示手段６０は、電池残量をＦ、Ｍ、Ｅの三段階で表示していたが、第一電圧以上であるか未満であるかを、例えば、「Ｆ」と「Ｅ」との２段階で表示してもよい。一方で、残量表示手段６０は、電池残量を四段階以上で表示してもよい。例えば、インジケーター針６１によって、電池残量を０〜１００％まで１％毎に表示してもよい。
予告表示手段７０は、秒針１２１を２秒運針するものに限定されず、例えば一定範囲で秒針１２１を往復運針するものなど、通常運針と異なる表示を行うものであればよい。
【０１０３】
前記各実施形態では、電池電圧のレベルを判定する際に、Ｓ３〜Ｓ１１まで閾値と順次比較することで判定していたが、電池電圧検出回路４５の検出値をＡＤコンバーターを介して数値化して直接判定してもよい。
【０１０４】
本発明の電子時計１は、腕時計に限定されず、電子時計機能を有する各種の装置に広く適用できる。特に、二次電池で駆動される携帯型の電子時計に適している。
【符号の説明】
【０１０５】
１，１Ａ，１Ｂ，１Ｃ…電子時計、１２…指針、１５，１６…ボタン、２１…ムーブメント、２２…ソーラーセル、２３…ＧＰＳアンテナ、２４…二次電池、３０…ＧＰＳ受信回路、４０…制御回路、４０Ａ…記憶部、４２…充電制御用スイッチ、４３…発電状態検出回路、４４…開放電圧検出回路、４５…電池電圧検出回路、５１…計時手段、５２…時刻表示手段、６０…残量表示手段、６１，６１Ａ…インジケーター針、７０…予告表示手段、１２１…秒針、１２５…曜日針。
【図１】
0006010930.tif 000002
【図２】
0006010930.tif 000003
【図３】
0006010930.tif 000004
【図４】
0006010930.tif 000005
【図５】
0006010930.tif 000006
【図６】
0006010930.tif 000007
【図７】
0006010930.tif 000008
【図８】
0006010930.tif 000009
【図９】
0006010930.tif 000010
【図１０】
0006010930.tif 000011
【図１１】
0006010930.tif 000012
【図１２】
0006010930.tif 000013
【図１３】
0006010930.tif 000014
【図１４】
0006010930.tif 000015
【図１５】
0006010930.tif 000016